(57)【要約】【課題】内容物を使い切った後の処理に困るエアゾール容器の廃棄処理を提案する。【解決手段】ハウジング３で封止された内部に使用液を貯蔵するタンク本体２に、ノズルアッセンブリ４をノズルネジ４４により螺設し、ノズルアッセンブリ４の端部に噴出ボタン５を暖嵌する。この噴出ボタン５の一側面には、ノズルネジ４４に設けた穴４５に挿入可能な爪５３が突設されたノズルネジ回し部５２が設けられている。使用後に噴出ボタン５を外し、ノズル回し部５２の爪５３をノズルネジ４４の穴４５に挿入して回し、ノズルアッセンブリ４をタンク本体２から外すことで、エアゾール容器１を構成する部材を素材毎に分離してリサイクルに回せる。【選択図】図２
2005096802.tif 000002
【特許請求の範囲】
【請求項１】
使用液と可燃性ガスが充填されたタンク本体と、前記タンク本体の開口を封止し螺旋を有する孔が穿設されたハウジングと、前記ハウジングに螺着するノズルアセンブリと、前記ノズルアセンブリに暖嵌する噴出口を有する噴出ボタンと、前記噴出ボタンを保護するキャップとを備え、ハウジングに螺着したノズルアッセンブリのノズルネジに設けた穴に挿入可能な爪を突設させたノズルネジ回し部を噴出ボタンの一側面に設けたことを特徴とする廃棄分離可能なエアゾール容器。
【請求項２】
ノズルネジの穴に挿入可能な爪を突設させたノズルネジ回し部を、噴出ボタンのハウジング側に設けたことを特徴とする請求項１記載の廃棄分離可能なエアゾール容器。
【請求項３】
使用液と可燃性ガスが充填されたタンク本体と、前記タンク本体の開口を封止し螺旋を有する孔が穿設されたハウジングと、前記ハウジングに螺着するノズルアセンブリと、前記ノズルアセンブリに暖嵌する噴出口を有する噴出ボタンと、前記噴出ボタンを保護するキャップとを備え、ハウジングに螺着したノズルアッセンブリのノズルネジに設けた穴に挿入可能な爪を突設させたノズルネジ回し部を、キャップの一側面に設けたことを特徴とする廃棄分離可能なエアゾール容器。
【発明の詳細な説明】
【技術分野】
【０００１】
本発明は、容器内容物を使用し終わったエアゾールを捨てるに際し、容器ごと捨てずにリサイクル可能に分別できるようにしたエアゾール容器に関し、特にエアゾール容器を分別する際に、別の用具を準備することなく容器に設定した部材で簡単に分解可能にするものである。
【背景技術】
【０００２】
化粧品や殺虫剤等を噴霧するためのエアゾール容器には、目的に会わせた使用液の他にこの液を噴出させるための可燃性ガスが充填されている。このエアゾール容器の内部に可燃性ガスが残留したまま廃棄した場合、時によっては容器が爆発して人の危害を加えてしまう虞がある。
【０００３】
容器内の残留ガスを放出する方法として、噴出ボタンを押し続ける方法や容器に穴を開ける方法があった。しかし前者の方法では長時間にわたって噴出ボタンを押し続ける必要があるため指が疲れて、途中でガスが残留しているにもかかわらず止めてしまう問題があり、後者では破裂の危険性があるとともに、内容物によっては周囲を汚してしまう問題があった。そこで、ガス抜き機構を備えたエアゾール容器のキャップが提案されている（例えば特許文献１参照）。
【特許文献１】特開平１０−５３２８９号公報
【発明の開示】
【発明が解決しようとする課題】
【０００４】
しかしながら上記の開示技術は、エアゾール容器内の内容物を単に外部に放出して容器内部を空にするだけであり、リサイクルのためエアゾール容器を分別して廃棄するには別の工具を必要とする事により、一般的にはエアゾール容器ごと廃棄してしまうのが常である。そうすると、エアゾール容器を構成する合成樹脂や金属またゴムなどがそのまま混ざり込んでしまうために、各部材を構成していた素材のリサイクルが出来ないし、または部材に分別するために多くの手間とエネルギーを必要とする。
【０００５】
本発明は上記に鑑み、使用を終えたエアゾール容器を各自で簡単に分解でき、各部材を構成していた素材ごとにリサイクルに回せることが可能なエアゾール容器を提供する。
【課題を解決するための手段】
【０００６】
本発明のエアゾール容器は、使用液と可燃性ガスが充填されたタンク本体と、前記タンク本体の開口を封止し螺旋を有する孔が穿設されたハウジングと、前記ハウジングに螺着するノズルアセンブリと、前記ノズルアセンブリに暖嵌する噴出口を有する噴出ボタンと、前記噴出ボタンを保護するキャップとを備え、ハウジングに螺着したノズルアッセンブリのノズルネジに設けた穴に挿入可能な爪を突設させたノズルネジ回し部を噴出ボタンの一側面に設けたことを特徴とするものである。
【０００７】
本発明の他のエアゾール容器は、ノズルネジの穴に挿入可能な爪を突設させたノズルネジ回し部を、噴出ボタンのハウジング側に設けたことを特徴とするものである。
【０００８】
また、ノズルネジの穴に挿入可能な爪を突設させたノズルネジ回し部を、キャップの一側面に設けたことを特徴とするものも効果的である。
【発明の効果】
【０００９】
以上のような本発明の廃棄分離可能なエアゾール容器によれば、内容物を使用しきった後のエアゾール容器を分解する際に、噴出ボタン側面のノズルネジ回し部の爪をノズルネジに挿入して回すことで、ノズルアッセンブリを簡単に取り外せ、エアゾール容器を構成する部材を分離しリサイクルに回すことが可能となる。
【００１０】
ノズルネジ回し部は噴出ボタンまたはキャップに設けてあるから、改めて工具を探して分離する必要が無く容易に分離可能となる効果を得る。
【発明を実施するための最良の形態】
【００１１】
以下、本発明の実施形態を図面に基づき説明する。図１に示すエアゾール１は使用液と可燃性ガスが充填されたタンク本体２と、このタンク本体２の内容物を噴出させる噴出ボタン５と、噴出ボタン５を保護するための合成樹脂からなるキャップ６で構成されている。
【００１２】
タンク本体２は有底筒状をした矩形の容器で、タンク本体２の解放端には中央に貫通孔３１が設けられた箱状をしたハウジング３が固着されている。ハウジング３はタンク本体２の内容物を封止する。そして貫通孔３１にはネジ山が螺設され、ネジ山にノズルアッセンブリ４が螺着する。ノズルアッセンブリ４は軸方向に伸縮するスプリング４１と、スプリング４１を押圧した際に図示しない流入口を開閉するパッキング４２を嵌入したノズル４３、及びノズル４３を保持し貫通孔３１に位置するノズルネジ４４から構成される。このノズルネジ４４の上面には中心孔周囲に複数の穴４５が設けられている。
【００１３】
ハウジング３の貫通孔３１に螺着したノズルネジ４４によって、ノズルアッセンブリ４のノズル４３の上端がハウジング３内に突出しており、このノズル４３の突出側に噴霧口５１を設けた噴出ボタン５が挿入される。この噴出ボタン５の一側面に、ノズルネジ４４の穴４５と合致するように形成された爪５３が突出したノズルネジ回し部５２が設置されている。
【００１４】
このような構成からなるエアゾール容器１を使用するときは、キャップ６を取り外して噴出口５１を、対象物に向けて噴出ボタン５を押す。これによりタンク本体２の内容液を使用する点は従来のエアゾールを変わりない。次にエアゾール容器１の内容物を使い切った場合には、図２のように噴出ボタン５のみを引き上げてハウジング３及びノズル４３との暖嵌を外す。そして噴出ボタン５のノズルネジ回し部５２をハウジング３内部に向けて、爪５３をノズルネジ４４の穴４５に挿嵌させる。そして噴出ボタン５を回してノズルネジ４４の螺着をハウジング３貫通孔３１のネジ山から外す。これによりノズルアッセンブリ４はタンク本体２から外れ、スプリング４１、ノズル４３などの各部品に分解する事が出来ると共に、タンク本体２やキャップ６等のエアゾール容器構成部品もリサイクル可能に分別する事が出来る。
【００１５】
図３に示すエアゾール容器１１は第２の実施例を示すものであり、第１の実施例と同一の部材には同一の番号を付し、詳細な説明は除く。
【００１６】
噴出ボタン５５は噴出口５１とノズル回し部５２が設けてあり、ノズル回し部５２はハウジング３内に突出するノズル４３に暖嵌する側に設置され、ノズル回し部５２に設けてある爪５３がノズルネジ４４の穴４５に挿嵌されている。
【００１７】
エアゾール容器１１の内容物を使い終わったときは、噴出ボタン５５をハウジング３上端まで引き上げるか、ハウジング３から引き上げて外し、ノズル回し部５２の爪５３を改めてノズルネジ４４の穴４５に挿入する。この際、図４に示すように噴出ボタン５の下部がハウジング３の上端に乗るようにして回転させると、ノズルネジ４４が貫通孔３１のネジ山から外す。これによりノズルアッセンブリ４はタンク本体２から外れ、スプリング４１、ノズル４３などの各部品に分解する事が出来ると共に、他のエアゾール容器構成部品もリサイクル可能に分別する事が出来る。
【００１８】
図５に示すエアゾール容器１２は第３の実施例を示すものであり、ノズルネジ４４の穴４５に挿嵌する複数の爪６３が形成されたノズル回し部６２はキャップ６１の外周一側面に設けてある。
【００１９】
エアゾール容器１２内の内容物を使い終わったときは、噴出ボタン５をハウジング３から引き上げて外す。次にハウじング３内に臨むノズルネジ４４の穴４５に、図６に示すようにノズル回し部６２の爪６３を挿入して回転すると、ノズルネジ４４が貫通孔３１のネジ山から外れる。これによりノズルアッセンブリ４はタンク本体２から外れ、スプリング４１、ノズル４３などの各部品に分解する事が出来ると共に、他のエアゾール容器構成部品もリサイクル可能に分別する事が出来る。
【図面の簡単な説明】
【００２０】
【図１】本発明の第１の実施例に係るエアゾール容器の構成図
【図２】分解前の噴出ボタンとタンク本体の状況を示す図
【図３】本発明の第２の実施例に係る噴出ボタンの斜視図
【図４】分解時に於ける噴出ボタンとタンク本体の状況を示す図
【図５】本発明の第３の実施例に係るキャップの斜視図
【図６】分解時に於けるキャップとタンク本体の状況を示す図
【符号の説明】
【００２１】
２          本体タンク
３          ハウジング
４          ノズルアッセンブリ
４４        ノズルネジ
４５        穴
５，５５    噴出ボタン
５２        ノズルねじ回し部
５３        爪
６，６１    キャップ
【図１】
2005096802.tif 000003
【図２】
2005096802.tif 000004
【図３】
2005096802.tif 000005
【図４】
2005096802.tif 000006
【図５】
2005096802.tif 000007
【図６】
2005096802.tif 000008